(57)【要約】厚手のシート状材と、ハニカムボート等の軽量ボートを素材として作られ、写真、書等の作品を取替自在に収められ、予備の複数枚の写真も一緒に収められる等使い勝手の面でも工夫を凝らした額縁を提供する。軽量ボードを芯材として用いたコアパネルＡと、その外周面を周回状に被覆するシート状カバーＢとを備えており、コアパネルＡは軽量ボード１の外周りを、被覆シート２によって周回状に被覆すると共に、その表側面２ａに写真等を側方から差し込ませる差込用切欠部３を、その一辺が軽量ボード１の縁端に接する様に設け、シート状カバーＢには、周回被覆用の平行折目ａを設けると共に、被覆状態を係・脱自在に固定させる為のカバー固定手段を付設し、表側面１１には、作品の大きさよりは幾分小さい刳抜窓１２を設けたことを特徴とする。シート状カバーＢの表側面１１は、コアパネルＡの表側面２ａに重合状態で合体させる。
2004075697.tif 000002
【特許請求の範囲】
【請求項１】
プラスチック乃至は紙製の厚手のシート状材と、ハニカム様構造を備えた軽量ボートとを素材として組立てられたものであって、
軽量ボードを芯材として用いた、矩形厚板状のコアパネルＡと、その外周面を周回状に被覆するシート状カバーＢとを備えており、
コアパネルＡは、芯材となる軽量ボード１の外周りを、厚手の被覆シート２によって周回状に被覆すると共に、その表側面２ａに写真、絵画、書、等の作品を側方から差し込ませる為の差込用切欠部３を、その一辺が軽量ボード１の縁端に接する様に設け、
シート状カバーＢには、前記周回被覆用の４条の平行折目ａを設けると共に、この被覆状態を係・脱自在に固定させる為のカバー固定手段を付設し、且つ、額縁の表側となる表側面１１には、前記作品の大きさよりは幾分小さい刳抜窓１２を設けたことを特徴とする額縁。
【請求項２】
シート状カバーＢの表側面１１を、コアパネルＡの表側面２ａに重合状態で合体させたことを特徴とする請求項１記載の額縁。
【請求項３】
前記カバー固定手段は、シート状カバーＢが、コアパネルＡを周回状に被覆した状態で、その１組の裏面片１４，１４の、一方の縁端に突設した係合突片１５と、他方の縁端部に切込状に設けた係合切欠１６との組合わせから成ることを特徴とする請求項１記載の額縁。
【請求項４】
前記係合突片１５及び係合切欠１６の側端面を、アンダーカット状の斜面ｂに形成したことを特徴とする請求項３記載の額縁。
【請求項５】
シート状カバーＢの裏面片１４の部分に、額縁を壁面に垂支させる為の垂支片１８を切起状に設けたことを特徴とする請求項１記載の額縁。
【請求項６】
被覆シート２に設けた差込用切欠部３の差込用開口３ａから差し込ませる為の差込用台紙Ｃを付属させ、この差込用台紙Ｃの上面に前記作品を貼着させる様にしたことを特徴とする請求項１記載の額縁。
【発明の詳細な説明】
【技術分野】  本発明は、写真、絵画、書等の作品を、取替自在に収める為の、プラスチック乃至は紙製の厚手のシート状材と、ハニカム様構造を備えた軽量ボートとを素材して組立てられた額縁に関する。
【背景技術】  図８，図９に、写真用の従来の簡易型額縁の、代表的な構造を例示した。
この簡易型額縁２００は、木製でパネル状の額縁本体５１と、厚板紙製の額縁枠５２とを組合わせた構成を備えている。
額縁本体５１は、写真よりは一回り大きい矩形合板５１ａを、桟木５１ｂで裏打補強した形態を備え、額縁枠５２は、矩形厚板紙の真ん中に、写真Ｄより幾分小さい刳抜窓５２ａを設けた形態を備えている。
額縁枠５２の裏側面には、両面粘着シート５３を貼り付けている。
簡易型額縁２００の使い方は、図９に示した様に、先ず、額縁本体５１の上面に写真Ｄを載置し固定する。
そして、両面粘着シート５３の外側の離型紙を剥がした状態の額縁枠５２を、写真Ｄの周縁部に覆い被せて押圧力を及ぼすと、額縁枠５２の外周り部分が、粘着剤を介して、額縁本体５１の周縁部に固着される。
かくして、簡易型額縁２００への写真の装着と、額縁の組立とが、殆どワンタッチ操作で完了する。
尚、両面粘着シート５３の代わりに、付属されているチューブ入りの接着剤を、額縁枠５２の裏面に塗布するタイプのものもある。
図９中の５４は、額縁の吊り紐を通す為の吊金具で、その脚部を額縁本体５１に螺じ込ませている。
上記の構造を備えた従来の簡易型額縁２００は、収めてある写真を、別の写真に取り替えたい時には、額縁枠５２を、両面粘着シート５３の部分で、額縁本体５１から剥がし取ることも可能ではあるが、実際には、粘着力が低下していたり、接合箇所が傷付く等するので、使い捨てにされる場合が多い。
その為、額縁の買い換え費用、資源浪費、ゴミ処理問題等の観点からして、多分に改良すべき余地が残されている。
又、額縁への写真の収め方からして、薄い１枚の写真を納めるのが精々で、厚手の絵画や色紙等は到底収められない。
そこで、本発明の目的は、プラスチック乃至は紙製の厚手のシート状材と、ハニカムボートに類する軽量ボートとを素材して組立てられ、写真、絵画、書、等の作品を、取り替え自在に収められ、必要に応じて、予備の複数枚の写真も一緒に収められる等、使い勝手の面でも工夫を凝らした額縁を提供するにある。
【発明の開示】
上記の目的を達成する為の、本発明による額縁は、
プラスチック乃至は紙製の厚手のシート状材と、ハニカム様構造を備えた軽量ボートとを素材として、組立てられたものであって、
軽量ボードを芯材として用いた、矩形厚板状のコアパネルＡと、その外周面を周回状に被覆するシート状カバーＢとを備えており、
コアパネルＡは、芯材となる軽量ボード１の外周りを、厚手の被覆シート２によって周回状に被覆すると共に、その表側面２ａに写真、絵画、書、等の作品を側方から差し込ませる為の差込用切欠部３を、その一辺が軽量ボード１の縁端に接する様に設け、
シート状カバーＢには、前記周回被覆用の４条の平行折目ａを設けると共に、この被覆状態を係・脱自在に固定させる為のカバー固定手段を付設し、且つ、額縁の表側となる表側面１１には、前記作品よりは幾分小さい刳抜窓１２を設けたことを特徴とする。
そして、シート状カバーＢの表側面１１を、コアパネルＡの表側面２ａに重合状態で合体させたことも特徴とする。
又、カバー固定手段は、シート状カバーＢが、コアパネルＡを周回状に被覆した状態で、その１組の裏面片１４，１４の、一方の縁端に突設した係合突片１５と、他方の縁端部に切込状に設けた係合切欠１６との組合わせから成ることも特徴とする。この係合突片１５及び係合切欠１６の側端面は、アンダーカット状の斜面ｂに形成するとよい。
更に、シート状カバーＢの裏面片１４の部分に、額縁を壁面に垂支させる為の垂支片１８を切起状に設けるとよい。
或いは、被覆シート２に設けた差込用切欠部３の差込用開口３ａから差し込ませる為の、差込用台紙Ｃを付属させ、この差込用台紙Ｃの上面に前記作品を貼着させるとよい。
【図面の簡単な説明】  図１は、本発明の一実施例を示すもので、額縁を表側から見た斜視図、図２は、同上、額縁を裏側から見た斜視図、図３は、同上、図１のＸ−Ｘ線に沿う縦断面図、図４は、同上、シート状カバーを展開状態で示した斜視図、図５は、同上、コアパネルを表側から見た斜視図、図６は、同上、差込用台紙の斜視図、図７は、同上、図２のＹ−Ｙ線に沿う部分縦断面図、図８は、従来例を示すもので、簡易型額縁を表側から見た斜視図、図９は、同上、図８のＺ−Ｚ線に沿う縦断面図である。
【発明を実施するための最良の形態】    以下に、本発明の一実施例に就いて、図１〜図７を参照しながら説明する。
図１は、この実施例の額縁１００を表側から見た斜視図、図２は、裏側から見た斜視図であり、図３は、図１のＸ−Ｘ線に沿う縦断面図である。
図４は、シート状カバーＢを展開させた状態を、その裏面側から見た斜視図、図５は、コアパネルＡをその表側から見た斜視図である。
図６は、差込用台紙の斜視図、図７は、図２のＹ−Ｙ線に沿う部分縦断面図である。
図１に示した様に、矩形厚盤状の外観を備える額縁１００は、図５に示したコアパネルＡの縦方向の外周りを、図４に示した長方形のシート状カバーＢによって、一周する様に被覆した構成を備えている。
コアパネルＡは、図５に示した様に、額縁１００より僅かに小さい大きさに裁断された、紙製のハニカムボード（軽量ボード）１を芯材とし、その横幅方向の外周りを、プラスチック又は紙製で厚手の被覆シート２によって、一周する様に被覆し、貼り合わせた構成を備えてる。
ハニカムボードに代えて、発泡プラスチックボード等を使うことも出来る。
被覆シート２には、ハニカムボード１の表側に重合させる表側面２ａに、写真Ｄを側面側から差し込ませる為の差込用切欠部３を、その一方の側辺がハニカムボード１の縁端に接する様に設けている。
又、ハニカムボード１の表側面には、写真Ｄを額縁１００に出し入れする操作を容易にする為の指掛用切欠４を設けている。
尚、写真Ｄに替えて、絵画、書、色紙等の作品を収めても勿論よい。
図４に、展開状態で示した長方形のシート状カバーＢも、プラスチック、紙、乃至は合成紙製のシート状材から成る。
シート状カバーＢは、長手方向の真ん中部分を、コアパネルＡの表面側に重合させる為の表側面１１としている。
表側面１１には、写真Ｄの大きさより一回り小さい刳抜窓１２を設けて、その外周りを額縁枠としている。
表側面１１は、接着剤を用いてコアパネルＡの表側面に貼り合わせることによって、コアパネルＡとシート状カバーＢとを、この部分で合体させている。
表側面１１の両側端には、コアパネルＡの長手方向の両側端面に夫々重合させる側壁面１３，１３を、夫々平行折目ａを介して連結させている。
各側壁面１３には、図２に示した様に、コアパネルＡの裏面の各一半部分に重合させる為の、裏面片１４を、夫々折目ａを介して連結させている。
そして、各裏面片１４，１４には、図２に示した様に、コアパネルＡをシート状カバーＢで周回状に被覆した状態を固定させる為のカバー固定手段を設けている。
この実施例のカバー固定手段は、左右１組の裏面片１４，１４のうちの一方の裏面片１４の先端縁から突設した係合突片１５と、他方の裏面片１４の先端縁から切込状に設けられて、係合突片１５に係脱自在に掛合させる係合切欠１６との組合わせから成る。
このカバー固定手段は、図示の様に、所定間隔を隔てた３箇所に設けている。
係合突片１５及び係合切欠１６は、より確実に掛合させられる様に六角形にしている。この形状は六角形には限られず、台形や円形等であってもよい。
そして、図７に示した様に、係合突片１５と係合切欠１６とが互いに突き合わされる側端面を、アンダーカット状の斜面ｂに形成している。
又、アンダーカット状の斜面ｂを設けた側の裏面片１４には、図４にも示した様に、コアパネルＡの裏側面に貼着させる為の両面粘着シート１７を取付けている。然し、カバー固定機能が満足に果たされる限りに於いて、上記側端面は、必ずしも斜面ｂである必要はない。
尚、カバー固定手段は、上記に限られず、例えば、係合突片１５と係合切欠１６との組み合わせに代えて、ベルベット式ファスナー（商品名：マジックテープ）を、各裏面片１４，１４に取付ける、等の方法を採ってもよい。
更に、各裏面片１４には、その基端縁近くの所定間隔を隔てた２箇所に、額縁１００を壁に垂支させる吊り紐（図示略）を取付ける為の垂支片１８を、切起状に設けている。ｃは、紐通孔である。
次に、図６に示した差込用台紙Ｃは、被覆シート２の表側面２ａに設けた差込用切欠部３の大きさより僅かに小さい矩形板紙から成る。
差込用台紙Ｃの長手方向の一方の縁端には、その抜き・差しを容易に行える様に、摘み片１９を折目ｄを介して一体に突設している。
或いは、摘み片１９に替えて、図６に示した様に、差込用台紙Ｃとは別体の、“摘み”となるテープ２２を貼着させてもよい。
差込用台紙Ｃの上面には、図６に示した様に、写真Ｄ（等の作品）が、差込用台紙Ｃの他方の縁端に片寄せる様にして載置される。
２０は、この載置状態を固定させる為の両面粘着テープである。或いは、片面粘着テープ２１を使って、図示の様に固定させてもよい。
次に、額縁１００の使い方に就いて、その一例を説明する。
額縁１００は、図１，図２に示した、組上がり状態で販売される。
この状態で、シート状カバーＢの表側面１１の裏側は、既述の様に、又、図４中に仮想線で示した様に、コアパネルＡの表側面２ａに固着されている。
即ち、シート状カバーＢとコアパネルＡとは、この固着面の箇所で合体されている。
そこで、額縁１００に写真Ｄを収めるには、先ず、額縁１００を、図２に示した様に裏返しにする。
そして、図の左側の裏面片１４に手を掛けて上向きに引っ張ると、係合切欠１６のアンダーカット状の斜面ｂ（図７参照）によって抜け止めされていた係合突片１５を、比較的弱い力で係合切欠１６から引き離すことが出来る。
この引き上げた裏面片１４を、図４の左側に示した様に、丁度、本の裏表紙を開く様にして、外側向きに横倒しにすると、コアパネルＡの側端面に、差込用切欠部３の差込用開口３ａが現れる。
そこで、図６に示した様に、写真Ｄを貼り着け済みの差込用台紙Ｃを、その摘み片１９の側を手前にして、差込用開口３ａから差込用切欠部３に完全に差し込めば、写真Ｄは、額縁１００に収まった状態になる。
写真Ｄを収め終えたら、外側に展開させてあった左側の裏面片１４を、本の裏表紙を閉ざす様にして内側に折り戻して、その係合突片１５を対応した係合切欠１６に押し当てると、シート状カバーＢの素材の弾力性からして、係合突片１５の周縁部を、係合切欠１６のアンダーカット状の斜面ｂの下側に強制的に押し込ませることが出来て、図２に示した様に、コアパネルＡの外周りをシート状カバーＢで周回状に被覆した、額縁１００の組上がり状態が固定される。
最後に、額縁１００を、縦向き又は横向きのいずれの向きに吊り下げるかに応じて、その裏側面の四隅に切起状に設けてある垂支片１８のうちの２つを、図２の左隅に示した様に、折目ｄに沿って起立させ、紐通孔ｃに吊り紐を通せば、壁掛けの準備が完了する。
この様にして、壁に飾ってある写真Ｄを、別の写真、又は、絵画、書色、色紙等の作品に取り替えたくなった時に、写真Ｄを取り外すには、左側の裏面片１４を、前記の様にして外向きに展開させた上で、写真Ｄを差込用台紙Ｃごと、差込用切欠部３から引き出せばよい。
この時、差込用台紙Ｃに設けた摘み片１９又はテープ２２と、ハニカムボード１に設けた指掛用切欠４が、引き出しを容易にしてくれる。
尚、差込用切欠部３の深さ（厚み）は、被覆シート２の厚みを変える等して、容易に調節出来る。
その為、差込用切欠部３に、予備の複数枚の写真を一緒に収めたり、厚手の色紙や絵画等を収めることも出来る。
産業上の利用性
以上の説明によって明らかな様に、本発明による額縁は、冒頭に記した、既存の簡易型額縁等に比べて、以下に列挙した如き実用上のより優れた長所を備えて居る。
（ａ）  既存の簡易型額縁は、飾ってある写真を、別の写真に差し替えるのが厄介だったり、不可能なので、使い捨てにされてしまうのに対して、簡単・迅速に何回でも差し替えられる。
（ｂ）  その為、額縁の購入費が嵩む、資源を浪費する、ゴミ処理の負担が増える等の、在来品が抱える諸問題を顕著に軽減出来る。
（ｃ）  既存の簡易型額縁は、その構造からして薄い１枚の写真しか納められないのに対して、写真等の作品の差込用切欠部の深さを簡単に変えられるので、予備の複数枚の写真を一緒に収めたり、厚手の絵画や色紙等も納めることが出来る。
（ｄ）  壁掛け用の吊金具を、別個に作成したうえ、取付ける手間と経費を省ける。
（ｅ）  収めるべき写真等のサイズが多様であっても、シート状カバーに設ける刳抜窓の大きさを変えるだけで、対応可能である。
【図１】
2004075697.tif 000003
【図２】
2004075697.tif 000004
【図３】
2004075697.tif 000005
【図４】
2004075697.tif 000006
【図５】
2004075697.tif 000007
【図６】
2004075697.tif 000008
【図７】
2004075697.tif 000009
【図８】
2004075697.tif 000010
【図９】
2004075697.tif 000011